【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
ハイブリッドリスかご型ケージ式及び永久磁石式のモータであって、
モータハウジングと、
前記モータハウジングに固定されて回転ステータ磁界を生成するステータと、
前記モータハウジングに回転可能に接続されて、前記モータハウジングの少なくとも１つの連結用端部から負荷まで延びたモータシャフトと、
前記モータシャフトに回転式に固定されかつ前記モータシャフトと同軸上に設けられる第２ロータと、
前記ステータと前記第２ロータとの間に、かつ前記モータシャフトと同軸上に設けられ、前記モータシャフトに回転可能に機械的結合せず前記モータシャフトと共に回転しない第１ロータと、
を備え、前記第２ロータは、
第２ロータコアと、
前記第２ロータコアに埋め込まれた複数の第２リスかご型ケージバーであって、導電性で、互いに角度離間した複数の第２リスかご型ケージバーと、
を備え、前記第１ロータは、
第１ロータコアと、
起動時に回転ステータ磁界と協働してトルクを生成するように構成された少なくとも１つの誘導素子と、
前記少なくとも１つの誘導素子から前記第２ロータの方に径方向に離間して配される永久磁石であって、前記少なくとも１つの誘導素子と角度的に重なる永久磁石と、
を備え、前記少なくとも１つの誘導素子は前記永久磁石と前記ステータとの径方向の間に位置し、
前記第１ロータと前記第２ロータは同期動作中磁気的に結合可能である、
モータ。
【請求項２】
前記第２ロータコア内に複数の磁束バリアを含み、前記磁束バリアは同期動作の間に前記第２ロータコアを通して前記回転ステータ磁界をガイドし、前記磁束バリアは前記第２ロータコア内のボイドである、請求項１に記載のモータ。
【請求項３】
前記第２ロータコア内に複数の磁束バリアを含み、前記磁束バリアは同期動作の間に前記第２ロータコアを通して前記回転ステータ磁界をガイドし、前記磁束バリアは、前記第２リスかご型ケージバーの内端同士を接続する凹型経路である、請求項１に記載のモータ。
【請求項４】
前記少なくとも１つの誘導素子は、前記第１ロータコアの前記ステータに向いた面に埋め込まれた複数の角度離間した導電性の第１リスかご型ケージバーを有する、請求項１に記載のモータ。
【請求項５】
前記少なくとも１つの誘導素子は、角度離間した複数の第１小リスかご型ケージバーを有し、前記複数の第１小リスかご型ケージバーはＮ個の第１グループに分割され、前記第１グループのそれぞれは、連続した複数の前記第１小リスかご型ケージバーを含み、
前記第１のグループは、Ｎ個の角度離間した大きな第１大リスかご型ケージバーによって角度方向に分離され、前記第１大リスかご型ケージバーは、連続する前記第１グループを分離する、
請求項１に記載のモータ。
【請求項６】
前記第２リスかご型ケージバーは、前記第２ロータコアの第２外面内に角度離間して埋め込まれる、請求項５に記載のモータ。
【請求項７】
前記少なくとも１つの誘導素子は、前記ステータに面する前記第１ロータに渦電流リングを有する、請求項２に記載のモータ。
【請求項８】
請求項１に記載のモータであって、
前記第１ロータは、前記永久磁石をＮ個有し、
前記第２リスかご型ケージバーは、前記第１ロータに向いた前記第２ロータコアの面に近接し、Ｎ個の角度離間したグループであってバーのグループを有し、
前記Ｎ個のバーのグループはそれぞれ、右半分に右半分バーを、左半分に左半分バーを含み、
前記第２ロータは互いに離間した複数の磁束バリアを有し、前記複数の磁束バリアのそれぞれは、前記Ｎ個のバーのグループのいずれかの前記左半分バーのうちの少なくとも１つの第１の内端から、前記第２のロータコア内へ侵入して、前記Ｎ個のバーのグループの前記いずれかの前記右半分バーのうちの少なくとも１つの第２の内端へと達する、
モータ。
【請求項９】
前記磁束バリアは横方向に対称である、請求項８に記載のモータ。
【請求項１０】
前記Ｎ個のバーのグループのそれぞれについて、前記左半分バーの一番左のバーを前記右半分バーの一番右のバーに接続する前記磁束バリアは、該グループの中心に近い前記左半分バーと前記右半分バーを接続する前記磁束バリアよりも、前記第２ロータコアの深い部分に到達する、請求項８に記載のモータ。
【請求項１１】
前記ステータは、前記第１ロータ及び前記第２ロータの外側に位置し、
前記第２ロータはインナーロータであり、
前記第１ロータは、前記インナーロータと前記ステータの間に位置するアウターロータである、
請求項１に記載のモータ。
【請求項１２】
前記少なくとも１つの誘導要素は複数の第１リスかご型ケージバーを含み、
同期速度において、
・  前記複数の第１リスかご型ケージバーは前記複数の第２リスかご型ケージバーに角度的に位置が合い、
・  前記ステータから、前記複数の第１リスかご型ケージバーの間を通り、前記永久磁石を通って、前記複数の第２リスかご型ケージバーの間へと、第３の磁力線が通過する、
請求項１１に記載のモータ。
【請求項１３】
前記永久磁石はＮ個の角度離間した永久磁石を含み、
前記少なくとも１つの誘導素子は、前記第１ロータコアに埋め込まれた導電性の複数の第１小リスかご型ケージバーからなる第１グループをＮ個含み、前記Ｎ個の第１グループはそれぞれ、前記Ｎ個の永久磁石のうちの１つと角度的に位置が合っており、
前記少なくとも１つの誘導素子は更に、前記第１ロータコアの埋め込まれた導電性の第１大リスかご型ケージバーをＮ個含み、前記第１大リスかご型ケージバーはいずれも、前記第１小リスかご型ケージバーのどれよりも大きな断面を有し、前記第１大リスかご型ケージバーは、前記Ｎ個の永久磁石の間の間隙に角度的に位置が合っており、
前記Ｎ個の第１大リスかご型ケージバーはそれぞれ、前記Ｎ個の第１グループを角度方向に分離している、
請求項１に記載のモータ。
【請求項１４】
前記第２リスかご型ケージバーは、複数の第２小リスかご型ケージバーからなるグループをＮ個と、第２大リスかご型ケージバーをＮ個含み、
同期動作の間、前記第２小リスかご型ケージバーは、個々に前記第１小リスかご型ケージバーと位置が合い、前記第２大リスかご型ケージバーは、個々に前記第１大リスかご型ケージバーと位置が合う、
請求項１３に記載のモータ。
【請求項１５】
前記少なくとも１つの誘導要素は複数の第１リスかご型ケージバーを含み、
同期動作の間、前記複数の第２リスかご型ケージバーの各々は、、前記複数の第１リスかご型ケージバーのいずれかと位置が合う、
請求項１に記載のモータ。
【請求項１６】
前記永久磁石はＮ個の角度離間した永久磁石を含み、
前記小リスかご型ケージバーのＮ個のグループのそれぞれは、前記Ｎ個の永久磁石のいずれかに重なって位置する、
請求項５に記載のモータ。
【請求項１７】
ハイブリッドリスかご型ケージ式及び永久磁石式のモータであって、
モータハウジングと、
前記モータハウジングに固定されて回転ステータ磁界を生成するステータと、
前記モータハウジングに回転可能に接続されて、前記モータハウジングの少なくとも１つの連結用端部から負荷まで延びたモータシャフトと、
前記モータシャフトに回転式に固定されかつ前記モータシャフトと同軸上に設けられる第２ロータと、
前記ステータと前記第２ロータとの間に、かつ前記モータシャフトと同軸上に設けられ、前記モータシャフトに回転可能に機械的結合せず如何なる動作中も前記モータシャフトと共に回転しない第１ロータとを備え、
を備え、前記第２ロータは、
第２ロータコアと、
前記第２ロータコアに埋め込まれた複数の第２リスかご型ケージバーであって、導電性で、互いに角度離間した複数の第２リスかご型ケージバーと、
を備え、前記第１ロータは、
第１ロータコアと、
前記第１ロータコアに埋め込まれた複数の第１リスかご型ケージバーであって、導電性で、互いに角度離間した複数の第１リスかご型ケージバーと、
前記第１ロータコア内に位置する複数の永久磁石であって、前記複数の第１リスかご型ケージバーから前記第２ロータの方に径方向に離れて位置し、前記複数の第１リスかご型ケージバーに角度的に重なる複数の永久磁石と、
を備え、
前記複数の第１リスかご型ケージバーは回転ステータ磁場と協働して始動時のトルクを提供するように構成され、同期動作の間、前記複数の第１リスかご型ケージバーは前記複数の第２リスかご型ケージバーに同時に角度的に位置が合うことができ、
前記複数の第１リスかご型ケージバーは前記複数の永久磁石と前記ステータの径方向の間に位置する、
モータ。
【請求項１８】
請求項１７に記載のモータであって、
前記永久磁石はＮ個の永久磁石からなり、
前記第１リスかご型ケージバーは複数の第１小リスかご型ケージバーを有し、前記複数の第１小リスかご型ケージバーはＮ個の第１グループに分割され、前記第１グループのそれぞれは、連続した前記第１小リスかご型ケージバーを複数含み、
前記第１リスかご型ケージバーの前記第１グループのそれぞれは、前記Ｎ個の永久磁石のいずれかに径方向に重なって位置する、
モータ。
【請求項１９】
ハイブリッドリスかご型ケージ式及び永久磁石式のモータであって、
モータハウジングと、
前記モータハウジングに固定されて回転ステータ磁界を生成するステータと、
前記モータハウジングに回転可能に接続されて、前記モータハウジングの少なくとも１つの連結用端部から負荷まで延びたモータシャフトと、
前記モータシャフトに回転式に固定されかつ前記モータシャフトと同軸上に設けられる第２ロータと、
前記ステータと前記第２ロータとの間に、かつ前記モータシャフトと同軸上に設けられ、前記モータシャフトに回転可能に機械的結合せず前記モータシャフトと共に回転しない第１ロータと、
を備え、前記第２ロータは、
第２ロータコアと、
前記第２ロータコアに埋め込まれた複数の第２リスかご型ケージバーであって、導電性で、互いに角度離間した複数の第２リスかご型ケージバーと、
を備え、前記第１ロータは、
第１ロータコアと、
前記第１ロータコアに埋め込まれた複数の第１リスかご型ケージバーであって、導電性で互いに角度離間し、回転ステータ磁場と協働して始動時のトルクを提供するように構成される、第１リスかご型ケージバーと、
前記第１リスかご型ケージバーの下で、前記第２ロータに向いた前記第１ロータコアの面の上に位置する永久磁石と、
を備え、同期動作の間、ステータ磁力線は、前記複数の第１リスかご型ケージバーのうちの連続する前記第１リスかご型ケージバーの間、及び、前記複数の第２リスかご型ケージバーのうちの連続する前記第２リスかご型ケージバーの間を通過する、モータ。
【請求項２０】
前記ステータ磁力線は、同期動作の間、前記第１リスかご型ケージバーと前記第２リスかご型ケージバーによって、前記永久磁石を通って案内される、請求項１９に記載のモータ。